(57)【要約】      （修正有）【課題】エスカレータ用のステップおよびステップの製造方法を提供する。【解決手段】ステップ１が、一体的な軽金属ダイカスト部分として形成されており、踏板、ライザ３、少なくとも１つの横方向リブ４、ガイドアイ５および駆動アイ６を有している。ガイドアイは、専らライザに取り付けられている。駆動アイは、それぞれ専ら結合ウェブによりステップに取り付けられるかまたは配置される。ステップまたはステップのライザの両方の縁部領域９において、走行方向で見て２つのガイドアイが延びているかまたは一体的に成形されているステップの製造方法。【選択図】図２
2017121664.tif 000002
【特許請求の範囲】
【請求項１】
エスカレータ用のステップ（１）であって、該ステップ（１）が、一体的な軽金属ダイカスト部分として形成されており、踏板（２）と、ライザ（３）と、少なくとも１つの横方向リブ（４）と、ガイドアイ（５）と、駆動アイ（６）とを備え、前記ガイドアイ（５）が、専ら前記ライザ（３）に取り付けられており、
前記駆動アイ（６）が、それぞれ専ら結合ウェブ（７）により前記ステップ（１）に取り付けられているかまたは配置されていることを特徴とする、エスカレータ用のステップ（１）。
【請求項２】
前記駆動アイ（６）の前記結合ウェブ（７）が、前記踏板（２）に配置されている、請求項１記載のエスカレータ用のステップ（１）。
【請求項３】
前記ステップ（１）が、全幅にわたって下方に向かって開放している、請求項１または２記載のエスカレータ用のステップ（１）。
【請求項４】
前記ガイドアイ（５）と前記駆動アイ（６）との間に直接的な結合部が存在しない、請求項１から３までのいずれか１項記載のエスカレータ用のステップ（１）。
【請求項５】
前記ステップ（１）の縁部領域（９）において、前記ライザ（３）と前記踏板（２）との間に補強リブ（８）が配置されている、請求項１から４までのいずれか１項記載のエスカレータ用のステップ（１）。
【請求項６】
前記ステップ（１）の各縁部領域（９）の前記駆動アイ（６）および前記ガイドアイ（５）が、同一面上に位置しており、該面は走行方向に延びている、請求項１から５までのいずれか１項記載のエスカレータ用のステップ（１）。
【請求項７】
前記ライザ（３）、前記補強リブ（８）、前記横方向リブ（４）、および該横方向リブ（４）と前記補強リブ（８）との間に配置された結合ウェブ（７）が、閉じられたフレームを、有利には前記踏板（２）の下面に形成する、請求項１から６までのいずれか１項記載のエスカレータ用のステップ（１）。
【請求項８】
前記ステップ（１）を一体的な部分として軽金属ダイカスト法で製造することを特徴とする、請求項１記載のステップ（１）を製造する方法。
【発明の詳細な説明】
【技術分野】
【０００１】
本発明は、エスカレータ用のステップであって、ステップが一体的な軽金属ダイカスト部分として形成されており、踏板と、ライザと、少なくとも１つの横方向リブと、ガイドアイと、駆動アイとを備え、ガイドアイが専らライザに取り付けられている、エスカレータ用のステップに関する。
【背景技術】
【０００２】
先行技術からは、エスカレータ用のステップの種々異なる種類の製造および組立てが知られている。国際公開第２００９／０４７１４４号は、深絞りされた金属薄板から構成されたステップを開示している。このステップは、高いコストをもたらす手間のかかる組付けの欠点を有している。
【０００３】
独国実用新案第２９９０９８０８号明細書は、ガラス繊維強化されたプラスチックから製造されており、剛性を高める複数のリブおよび補強部を有しているステップを開示している。
【０００４】
欧州特許第２１７３６５２号明細書は、アルミニウムダイカストから製造され、条片を除いて一体的に形成されているステップエレメントを開示している。
【０００５】
上述のステップエレメントにおける欠点は、必要な強度および剛性を達成するために存在している補強部に基づく高い材料消費が必要であることにある。
【発明の概要】
【発明が解決しようとする課題】
【０００６】
本発明の課題は、材料削減と、鋳造法におけるサイクル時間の短縮とに基づいて製造コストを削減し、それにも関わらず剛性および強度に関する要求を満たすステップ、および該ステップに関連する製造方法を提案することである。
【課題を解決するための手段】
【０００７】
この課題は、本発明によれば、駆動アイが、それぞれ専ら結合ウェブによってステップに取り付けられるかまたは配置されることによって解決される。本発明は、結合ステーまたは補強ステーを省略し得ることにより、ステップの製造時の材料または鋳造材料を節減可能である点で優れている。先行技術において、従来公知のステップは、ステップの必要な強度および剛性を維持するために、通常、駆動アイとガイドアイとの間に結合ウェブを有している。
【０００８】
本発明に係るステップは、軽金属ダイカスト部分であり、軽金属ダイカスト部分は１つの部材から形成されている。ステップは、踏板と、ライザと、少なくとも１つの横方向リブとを備え、横方向リブは、有利には踏板の下面に配置されており、踏板の必要な安定性および強度を達成するように意図されている。横方向リブは、有利には駆動アイの両方の結合ウェブの間に、またはステップの縁部領域に達するまで延びている。ステップは、ガイドアイをさらに有している。これらのガイドアイは、専らライザに配置されているか、またはライザに一体に成形されている。ガイドアイは、ステップの両方の縁部領域内に配置されている。
【０００９】
本発明に係るステップはそれぞれ、ステップの走行方向で見てステップの両方の側に、またはステップの縁部領域に、駆動アイおよびガイドアイを有している。駆動アイは、エスカレータの駆動チェーンに結合されている。ガイドアイは、該ガイドアイに取り付けられたステップつまりエスカレータのガイドのローラと共に働く。１つのステップに含まれる１つの駆動アイまたは両方の駆動アイは、ステップに専らそれぞれ１つの結合ウェブを介して結合されている。駆動アイは、別のウェブにより安定化されず、駆動アイは、それぞれ単に１つの結合ウェブによってステップに配置され、かつ取り付けられている。駆動アイは、閉じたリングとして形成されていてもよいし、片側で開いたリングセグメントとして形成されていてもよい。駆動アイには、専ら結合ウェブが続く。この結合ウェブは、ステップに一体的に成形されている。有利には、駆動アイに対する結合ウェブは、ステップの踏板に配置されており、特に有利には踏板の下面に配置されている。
【００１０】
ステップは対称的に形成されているので、ステップがそれぞれ２つの駆動アイ、ガイドアイおよび結合ウェブを備えていることについては特に常に言及されるわけではない。ステップのそれぞれの縁部領域の駆動アイおよびガイドアイは、有利には同一面上に位置しており、この面はステップの走行方向に延びている。
【００１１】
ガイドアイは、ライザを介してステップに取り付けられているか、またはステップに一体に成形されている。これらのアイが、それぞれ単に１つの向きでステップに結合されており、別のステーを有しておらず、踏板とライザとの間にもステーが存在しないことによって、ステップは、下方に向かって全幅にわたって開放している。ステップのこの開放した構成は、鋳造時のサイクル時間の短縮を可能にする。なぜならば、この構成により、ステップを鋳造行程後も成形加工するために、金型または鋳造工具を比較的簡単に形成することができ、最も有利な場合には、それどころか単に２つのハーフシェルによって形成することができるからである。つまり、鋳造工具における付加的なスライドコア（Schieber）を省略することができる。このことはサイクル時間の短縮をもたらす。
【００１２】
先行技術から公知のように、ステップにおいて付加的にステーが必要な場合、ステップを成形加工するためには、２つのハーフシェルでは十分ではない。なぜならば、このようなステーによって、アンダカット部が形成され、このアンダカット部は、鋳造金型における別のスライドコアによってのみ解決され得るからである。これは、やはり金型を開放しステップを成形加工するためにサイクル時間を延長させるが、このことは製造されるべきステップの個数が多い場合に問題となる。駆動アイおよびガイドアイが互いに対してまたは互いに重なって結合されていない場合、その間にステーは延びておらず、したがってステップはその全幅にわたって下方に向かって開放して形成されている。
【００１３】
ステップは、有利には縁部領域に補強リブを有している。これらの補強リブは、ステップの剛性および強度のために役立つことが望ましい。補強リブが駆動アイおよびガイドアイと同一平面内に位置していると有利である。補強リブは、ライザに内面に沿ってかつ踏板の下面に沿って延びており、ステップの安定性を高めるために役立ち、かつライザに対する踏板の屈曲を不可能にする。ライザおよび踏板に一体成形された補強リブは、ライザの領域から踏板の領域への移行部においてＲ部を有している。補強リブが８ｍｍの最少高さを有していると有利であることが判った。補強リブは、種々異なる領域において、種々異なる高さを有していてもよい。つまり、補強リブの高さは、踏板の下面に沿って１０ｍｍであってもよく、ライザの内面の領域では８ｍｍしかなくてもよい。当然ながら別の組合せも可能である。
【００１４】
本発明の実施の形態を図面に基づき説明する。本発明は例示的な実施の形態に限定されない。
【図面の簡単な説明】
【００１５】
【図１】本発明に係るステップの三次元図である。
【図２】本発明に係るステップの、下面が上方に向けられた三次元図である。
【図３】本発明に係るステップの、下面が上方に向けられた三次元図である。
【図４】本発明に係るステップの、下面が上方に向けられた、別の視角からの三次元図である。
【発明を実施するための形態】
【００１６】
図１は、本発明に係るエスカレータ用のステップ１の三次元図を示している。ステップ１は、一体的な軽金属ダイカスト部分として形成されている。これにより、個々のステップを完成させるための高いコストを回避することができる。ステップ１は、踏板２と、ライザ（蹴上げ部分）３と、踏板２を補強するための少なくとも１つの横方向リブ４と、ガイドアイ５とを有している。横方向リブ４は、有利には踏板２の下面に配置されている。ガイドアイ５は、専らライザ３に配置されている。つまり、ステップ１またはステップ１のライザ３の両方の縁部領域９において、走行方向で見て２つのガイドアイ５が延びているかまたは一体的に成形されている。これらのガイドアイ５は、ステップ１またはエスカレータのガイドのために役立つ。ステップ１は、さらに駆動アイ６を有している。これらの駆動アイ６は、エスカレータのチェーンによって駆動される。ステップ１の駆動アイ６は、それぞれステップ１の両方の縁部領域９に配置されている。駆動アイ６は、それぞれ１つの結合ウェブ７によってステップ１に結合されているか、または踏板２に一体的に成形されている。図２から図４では、ステップ１を回転させた図面によって、アイ５，６の一体成形が良好に看取される。
【００１７】
駆動アイ６は、有利には踏板２の下面に一体的に成形されている。ステップ１の各縁部領域９に設けられた駆動アイ６およびガイドアイ５は、有利には同一面上に位置している。しかし、駆動アイ６およびガイドアイ５は、互いに対する結合ステーを有していない。他にもライザ３と踏板２との間にも結合ステーが存在していないので、ステップ１は、全幅にわたって下方に向かって開放している。ステップ１のこの構成は、ステップ１を製造するための鋳造工具の単純な構造を可能にする。これにより、鋳造工具における別のスライドコアが省略される。このことは、ステップ１の成形の時間を短縮する。ライザ３と踏板２との間のステーが存在しないにもかかわらず、ステップ１の必要な安定性および強度を保証するために、両方の縁部領域９にはそれぞれ補強リブ８が配置されている。有利には、補強リブ８は、それぞれの縁部領域９の駆動アイ６およびガイドアイ５と同一面上に延びている。補強リブ８は、ライザ３の内面と踏板２の下面とに沿って延びている。補強リブ８は、ステップ１またはエスカレータの走行方向に対して平行に延びている。補強リブ８は、ライザ３に沿って延びており、かつ踏板２への移行部にＲ部を有している。有利には、補強リブ８の高さは、少なくとも８ｍｍである。補強リブ８の高さは、ライザ３の領域および踏板２の領域において互いに異なっていてもよい。
【００１８】
ライザ３と、補強リブ８と、横方向リブ４と、横方向リブ４と補強リブ８との間に配置された結合ウェブ７とは、有利には踏板２の下面に閉じられたフレームを形成する。これにより、ステップの必要な安定性および強度が達成される。
【符号の説明】
【００１９】
１  ステップ
２  踏板
３  ライザ
４  横方向リブ
５  ガイドアイ
６  駆動アイ
７  結合ウェブ
８  補強リブ
９  縁部領域
【図１】
2017121664.tif 000003
【図２】
2017121664.tif 000004
【図３】
2017121664.tif 000005
【図４】
2017121664.tif 000006
【外国語明細書】
2017121664.tif 000007
2017121664.tif 000008
2017121664.tif 000009
2017121664.tif 000010
2017121664.tif 000011
2017121664.tif 000012
2017121664.tif 000013
2017121664.tif 000014
2017121664.tif 000015
2017121664.tif 000016
2017121664.tif 000017
2017121664.tif 000018